(57)【要約】【課題】保守員が昇降路の各点検箇所の点検項目を正確に把握し、かつ点検結果を正しく記録できるようにする。【解決手段】ＲＦＩＤリーダライタ４０は、作業開始ＩＣタグ１１に記憶されたエレベータ号機名の情報を読み取り、この号機名に関わる点検箇所および点検項目の情報を携帯通信端末装置２０から取得する。ＲＦＩＤリーダライタ４０は、取得済みの点検項目および点検箇所を表示させる。保守員が当該表示された点検箇所に移動して各点検項目の点検を行ない、入力装置４４への点検結果の入力操作を行なってＲＦＩＤリーダライタ４０を点検箇所のＩＣタグに近接させると、ＲＦＩＤリーダライタ４０は入力された点検結果の情報を携帯通信端末装置２０に送信する。【選択図】      図１
2009161310.tif 000002
【特許請求の範囲】
【請求項１】
昇降機の点検箇所および当該点検箇所の点検項目の情報を記憶する記憶手段と、
前記点検箇所に設置される記憶装置に記憶される当該点検箇所に固有の情報を読み取る読取手段と、
前記記憶手段に記憶される点検項目のうち、前記読取手段により読み取った情報が示す点検箇所の点検項目を出力する出力手段と、
前記出力手段により出力した点検項目の点検結果の入力を受け付ける入力手段と、
前記入力手段により入力を受け付けた点検結果の情報を保存する保存手段と
を備えたことを特徴とする昇降機保守管理装置。
【請求項２】
前記出力手段により出力した点検項目の点検結果の入力を前記入力手段が受け付けた後で、当該入力した点検結果を前記記憶装置に近距離無線通信により書き込む書込手段をさらに備えた
ことを特徴とする請求項１に記載の昇降機保守管理装置。
【請求項３】
前記記憶手段に記憶される点検箇所の点検項目が複数あり、
前記出力手段は、前記読取手段により読み取った情報が示す点検箇所に関わる点検項目のうち一つを出力し、当該出力された点検項目の点検結果の入力を前記入力手段により受け付けた場合に、前記関わる点検項目のうち出力を行なっていない他の点検項目を出力する
ことを特徴とする請求項１に記載の昇降機保守管理装置。
【請求項４】
前記記憶手段に記憶される点検箇所が複数あり、
前記出力手段は、前記読取手段により読み取った情報が示す点検箇所に関わる全ての点検項目の点検結果の入力を前記入力手段により受け付けた場合に、前記点検箇所のうち前記点検項目の出力を行なっていない他の点検箇所の点検項目を出力する
ことを特徴とする請求項１に記載の昇降機保守管理装置。
【請求項５】
前記記憶手段は、前記点検箇所に故障が過去に発生したか否かを示す情報をさらに記憶し、
前記出力手段は、前記出力する点検項目が関わる点検箇所に故障が過去に発生したことを示す情報が前記記憶手段に記憶される場合に当該発生したことを示す情報をさらに出力する
ことを特徴とする請求項１に記載の昇降機保守管理装置。
【請求項６】
昇降機の点検箇所に設置される記憶装置に固有に記憶される情報を読み取り、
前記読み取った情報が示す点検箇所の点検項目を出力し、前記出力した点検項目の点検結果の入力を受け付け、前記入力した点検結果の情報を保存する
ことを特徴とする昇降機保守管理装置。
【発明の詳細な説明】
【技術分野】
【０００１】
本発明は、昇降機の点検に関する情報処理を行なう昇降機保守管理装置に関する。
【背景技術】
【０００２】
従来、昇降機の保守員は、昇降機の点検のために、点検項目に応じて目視や触診での動作確認あるいは計測器等による測定を実施している。
【０００３】
保守員は、昇降機の点検箇所および当該点検項目が記載された書類を参照しながら、例えば機械室や乗りかご内などの各点検箇所へ移動して当該点検箇所の点検項目にしたがった点検を行っている。
【０００４】
保守員は、点検作業終了後に点検結果を紙に記載したり、携帯する端末装置を用いて点検結果データを入力して記録したりしている。
【０００５】
昇降機の各点検箇所に関わる情報の管理方法として、ＲＦＩＤ（Radio Frequency Identification）タグつまりＩＣタグを用いる方法がある。例えば特許文献１に開示されるように、保守員が乗場ドアに近接する乗場操作盤の点検作業を終了し、当該乗場操作盤に取り付けられたＩＣタグにＲＦＩＤリーダライタを近接させることでＩＣタグに記憶された当該乗場操作盤に関する各種情報を読み取って携帯端末に出力するものがある。
【０００６】
また、例えば特許文献２に開示されるように、昇降機の電動機の筐体の銘板とは別に、整備ごとに必要に応じて新たな製造番号を含んだ整備履歴に関するデータ、例えば整備実施日付、整備内容を記憶するＩＣタグを設けたものがある。
【特許文献１】特開２００７−８４１９１号公報
【特許文献２】特開２００７−５０９９９号公報
【発明の開示】
【発明が解決しようとする課題】
【０００７】
前述したように、保守員が点検箇所や点検項目が記載された書類を参照しながら各点検箇所へ移動する手法では、保守員による点検結果の記録ミスにより、当該記録された点検結果が関わる点検箇所と保守員が実際に点検を行った箇所とが異なってしまう場合がある。
【０００８】
また、前述したように、乗場操作盤に取り付けられたＩＣタグにＲＦＩＤリーダライタを近接させると当該乗場操作盤に関する各種情報を読み取ることができ、前述したように、整備履歴に関するデータを記憶したＩＣタグを電動機に取り付けておけば電動機の点検結果を把握することができる。しかし、このような手法は、保守員が昇降路の各点検箇所の点検項目を正確に把握して点検結果を正しく記録できるものではない。
【０００９】
そこで、本発明の目的は、保守員が昇降路の各点検箇所の点検項目を正確に把握し、かつ点検結果を正しく記録することが可能になる昇降機保守管理装置を提供することにある。
【課題を解決するための手段】
【００１０】
すなわち、本発明に係わる昇降機保守管理装置は、昇降機の点検箇所および当該点検箇所の点検項目の情報を記憶する記憶手段を備え、点検箇所に設置される記憶装置に記憶される当該点検箇所に固有の情報を読み取り、記憶手段に記憶される点検項目のうち、前記読取手段により読み取った情報が示す点検箇所に対応する点検項目を出力し、この出力した点検項目の点検結果の入力を受け付け、この入力した点検結果の情報を保存することを特徴とする。
【発明の効果】
【００１１】
本発明によれば、保守員が昇降路の各点検箇所の点検項目を正確に把握し、かつ点検結果を正しく記録することができる。
【発明を実施するための最良の形態】
【００１２】
以下図面により本発明の実施形態について説明する。  
図１は、本発明の実施形態にしたがったエレベータの構成の概略を示す図である。なお、本実施形態においてはエレベータを例にとって説明するが、本発明はマンコンベアなどのその他の昇降機にも適用することができる。
【００１３】
本発明の実施形態にしたがったエレベータでは、昇降路１の内部において、乗りかご２が、巻き上げ機（図示せず）のモータ軸に設けられたメインシーブ３およびそらせシーブ４に巻き掛けられたロープを介してカウンタウェイト５と連結される。乗りかご２は、巻き上げ機の駆動によるメインシーブ３およびそらせシーブ４の回転に伴い、カウンタウェイト５とともに互いに上下反対方向に昇降する。乗りかご２の駆動方式は、油圧方式、リニア方式など、他の方式であってもよい。
【００１４】
昇降路１の上部の機械室６にはエレベータ制御盤７が設けられる。また、各階の乗場ドア８の近傍には乗場ＩＣタグ１３が設けられる。特に玄関階の乗場ドア８の近傍には作業開始ＩＣタグ１１および作業終了ＩＣタグ１７がさらに設けられる。
【００１５】
また、乗りかご２の内部には、かご内ＩＣタグ１４が設けられ、乗りかご２の外の天板上には、かご外ＩＣタグ１５が設けられる。
【００１６】
また、機械室６のエレベータ制御盤７の近傍には機械室ＩＣタグ１２が設けられ、昇降路１の下部のピット９にはピットＩＣタグ１６が設けられる。
【００１７】
本発明の実施形態では、保守員が携行する携帯通信端末装置２０および保守員が同じく携行するＲＦＩＤリーダライタ４０およびエレベータの各箇所に設置される各ＩＣタグでエレベータ保守管理システムを構成している。
【００１８】
ＲＦＩＤリーダライタ４０には、保守員が当該ＲＦＩＤリーダライタ４０を例えば腕に装着して携行可能にするためのベルト等が取り付けられる。ＲＦＩＤリーダライタ４０は、この装置自体を各種ＩＣタグに近接させることで当該ＩＣタグに記憶された情報を非接触、つまり近距離無線通信により読み取る機能およびエレベータの各箇所の点検結果を示す情報をＩＣタグに非接触により書き込む機能をさらに有する。
【００１９】
図２は、本発明の実施形態にしたがったエレベータ保守管理システムの携帯通信端末装置の構成例を示すブロック図である。  
図２に示すように、携帯通信端末装置２０は、各部の動作を司る制御部２１、記憶手段である記憶装置２２、入力装置２５、表示装置２６、通信インタフェース２７、点検情報読出部２８、点検情報書込部２９を備え、それぞれがバス３０を介して相互に接続される。また、通信インタフェース２７にはＲＦＩＤリーダライタ４０との無線通信用のアンテナ３１が接続される。
【００２０】
記憶装置２２は、不揮発性メモリなどの記憶媒体であり、各部の処理動作のための制御プログラムを記憶する他、点検情報記憶部２３を備える。点検情報記憶部２３は点検情報テーブルを記憶する。
【００２１】
図３は、本発明の実施形態にしたがったエレベータ保守管理システムの携帯通信端末装置の記憶装置に記憶される点検情報テーブルの構成例を表形式で示す図である。  
図３に示すように、点検情報テーブルでは、保守作業対象、つまり点検対象のエレベータの設置建物名、エレベータ号機名、点検箇所、点検項目が関連付けられて管理される。
【００２２】
点検箇所は、例えば機械室、各階床の乗場、かご内、かご外、ピットである。点検項目は点検箇所別に設定される。例えば、図３に示すように、機械室の点検項目は環境、制御盤、巻き上げ機などであり、乗場の点検項目は乗場ドア、乗場釦などであり、かご内の点検項目は操作盤などであり、かご外の点検項目は救出口などであり、ピットの点検項目は緩衝器などである。
【００２３】
また、点検情報テーブルでは、各点検項目の点検結果を示す欄がさらに設けられる。この点検情報テーブル上の点検結果は初期状態では空欄であり、保守員がＲＦＩＤリーダライタ４０への入力操作により生成されて携帯通信端末装置２０に送信されて点検情報テーブル上に反映される。
【００２４】
図４は、本発明の実施形態にしたがったエレベータ保守管理システムのＲＦＩＤリーダライタの構成例を示すブロック図である。  
図４に示すように、ＲＦＩＤリーダライタ４０は、各部の動作を司る制御部４１、記憶装置４２、入力手段である入力装置４４、出力手段である表示装置４５、書込手段である書込処理部４６、読取手段である読取処理部４７、通信インタフェース４８、表示制御部４９、通信制御部５０を備え、それぞれがバス５１を介して相互に接続される。また、通信インタフェース４８には携帯通信端末装置２０や各種ＩＣタグとの無線通信用のアンテナ５２が接続される。
【００２５】
入力装置４４は、読み取りモードや書き込みモードといった動作モードの設定や点検結果などの入力を受け付けるキーなどでなる。表示装置４５は、点検箇所を表示したり、点検結果の入力画面を表示したりするディスプレイ装置である。
【００２６】
記憶装置４２は、不揮発性メモリなどの記憶媒体であり、各部の処理動作のための制御プログラムを記憶する他、点検結果情報記憶部４３を備える。点検結果情報記憶部４３には点検結果情報テーブルが記憶される。この点検結果情報テーブルについては後述する。
【００２７】
書込処理部４６は、書込み対象の情報を通信インタフェース４８およびアンテナ５２を介して書込み対象のＩＣタグへ送信する。これによりＲＦＩＤリーダライタ４０は各種ＩＣタグへ情報を非接触で書き込む。
【００２８】
また、読取処理部４７は、各種ＩＣタグの内部メモリに記憶される情報をアンテナ５２および通信インタフェース４８を介して受信する。これによりＲＦＩＤリーダライタ４０は各種ＩＣタグの情報を非接触で読み取る。
【００２９】
次に、ここまで示した構成のエレベータ保守管理システムの動作について説明する。図５は、本発明の実施形態にしたがったエレベータ保守管理システムによる点検結果記録処理の一例を示すフローチャートである。
【００３０】
まず、保守員が点検予定箇所のエレベータに到着して、ＲＦＩＤリーダライタ４０の電源を投入すると、表示制御部４９は、ＲＦＩＤリーダライタ４０を到着先のエレベータの作業開始ＩＣタグ１１へ近接させるよう要求するメッセージ、例えば「ＲＦＩＤリーダライタを作業開始ＩＣタグへ近づけてください」といったメッセージを表示装置４５へ表示させる。
【００３１】
このメッセージにしたがって、保守員がＲＦＩＤリーダライタ４０の入力装置４４に対する予め定められた操作により動作モードを読み取りモードに切り替えた上で、当該ＲＦＩＤリーダライタ４０を作業開始ＩＣタグ１１へ近接させると、作業開始ＩＣタグ１１の内部メモリに記憶された設置建物名およびエレベータ号機名を示す情報が内部アンテナを介してＲＦＩＤリーダライタ４０に送信される。ＲＦＩＤリーダライタ４０の制御部４１は、前述したメッセージが表示装置４５に表示された際に、動作モードを読み取りモードに自動的に切り替えてもよい。
【００３２】
ＲＦＩＤリーダライタ４０の通信インタフェース４８が、この送信された情報をアンテナ５２を介して受信する、つまりＲＦＩＤリーダライタ４０が作業開始ＩＣタグ１１に記憶された情報を読み取ると（ステップＳ１）、通信制御部５０は、受信済みの情報に含まれる設置建物名およびエレベータ号機名に関わる各点検箇所および点検項目の情報を要求するための信号を通信インタフェース４８およびアンテナ５２を介して携帯通信端末装置２０に送信する（ステップＳ２）。
【００３３】
携帯通信端末装置２０の通信インタフェース２７がＲＦＩＤリーダライタ４０からの信号をアンテナ３１を介して受信すると、点検情報読出部２８は、記憶装置２２の点検情報記憶部２３に記憶される点検情報テーブルから、ＲＦＩＤリーダライタ４０からの信号で要求された設置建物名およびエレベータ号機名を選択する。
【００３４】
そして、点検情報読出部２８は、この選択した号機名に関わる点検箇所のうち未点検、つまり点検情報テーブル上の点検結果が空欄であって当該点検情報テーブル上の最上段に最も近い点検箇所を選択し、この選択した点検箇所、当該点検箇所に関わる各点検項目、エレベータ号機名および設置建物名をあわせた情報を通信インタフェース２７およびアンテナ３１を介して要求元のＲＦＩＤリーダライタ４０に送信する（ステップＳ３）。
【００３５】
ＲＦＩＤリーダライタ４０の通信インタフェース４８が、この送信された情報をアンテナ５２を介して受信すると、制御部４１は、この情報をもとにして点検結果情報テーブルを生成して記憶装置４２の点検結果情報記憶部４３に記憶する。
【００３６】
図６は、本発明の実施形態にしたがったエレベータ保守管理システムのＲＦＩＤリーダライタの記憶装置に記憶される点検結果情報テーブルの構成を表形式で示す図である。  
この点検結果情報テーブルでは、携帯通信端末装置２０から受信済みの点検箇所、当該点検箇所に関わる各点検項目、エレベータ号機名、設置建物名、および各点検項目の点検結果が関連付けられて管理される。初期状態では点検結果情報テーブル上の各点検項目の点検結果は空欄である。
【００３７】
そして、表示制御部４９は、記憶装置４２の点検結果情報記憶部４３に記憶される点検結果情報テーブル上の未点検かつ最上段に最も近い単一の点検項目を選択し、この選択した点検項目を当該点検項目が関わる点検箇所とあわせて表示装置４５に表示させる（ステップＳ４）。例えば携帯通信端末装置２０から受信した点検箇所が図６に示したテーブル上の「機械室」であって、選択済みの点検項目が「環境」である場合には、表示例は「キカイシツ  カンキョウ」となる。
【００３８】
この表示画面は、保守員による点検項目の確認用画面であるとともに、当該点検項目の点検結果入力画面でもある。保守員は、当該表示された点検箇所および点検箇所にしたがった点検を行なった後で入力装置４４への入力操作を行なうことで点検結果を入力することができる。
【００３９】
図７は、本発明の実施形態にしたがったエレベータ保守管理システムのＲＦＩＤリーダライタの表示装置に表示される点検結果入力画面の一例を示す図である。  
例えば、保守員による入力装置４４の選択用キーの操作により、点検結果が良好であることを示す「テンケンケッカ＝リョウコウ」、修理が必要であることを示す「テンケンケッカ＝シュウリ」などが順次画面に表示される。
【００４０】
図７に示した表示例は「キカイシツ  カンキョウ  テンケンケッカ＝リョウコウ」である。この表示例は点検箇所「機械室」の点検項目「環境」の点検結果が「良好」であることを示す。
【００４１】
そして、表示装置４５に適切な結果が表示された時点で入力装置４４の決定用キーを操作する。これにより点検結果の入力内容が確定する。
【００４２】
制御部４１は、入力装置４４により入力された点検結果を示す情報を、記憶装置４２の点検結果情報記憶部４３に記憶される点検結果情報テーブル上の前述したように選択した点検項目と関連付けて記録する（ステップＳ５）。例えば点検結果が良好である場合には、点検結果情報テーブル上の点検結果は「良」となり、修理を要する場合には点検結果情報テーブル上の点検結果は「修理要」となる。
【００４３】
そして、制御部４１は、点検結果情報記憶部４３に記憶される点検結果情報テーブル上の点検項目のうち点検結果が空欄である、つまり未点検の点検項目がある場合（ステップＳ６のＹＥＳ）には、点検結果情報テーブル上の点検項目のうち、点検結果が空欄であって最上段に最も近い点検項目、当該点検項目に関わる点検箇所、エレベータ号機名および設置建物名をあわせた情報を通信インタフェース２７およびアンテナ３１を介して要求元のＲＦＩＤリーダライタ４０に送信する（ステップＳ６→Ｓ３）。以後、前述したステップＳ４以降の処理が再度なされる。
【００４４】
一方、制御部４１が点検結果情報記憶部４３に記憶される点検結果情報テーブル上の点検結果が全て記録されていると判断した場合（ステップＳ６のＮＯ）には、表示制御部４９は、当該点検結果情報テーブル上の点検箇所、つまり表示装置４５に表示させていた点検箇所に対応するＩＣタグへのＲＦＩＤリーダライタ４０の近接を促すメッセージを表示装置４５に表示させる。
【００４５】
保守員が、この表示されたメッセージに従ってＲＦＩＤリーダライタ４０を点検箇所のＩＣタグ、例えば機械室ＩＣタグ１２に近接させると、この機械室ＩＣタグ１２の内部メモリに記憶された設置建物名、エレベータ号機名、設置箇所つまり機械室を示す情報が内部アンテナを介してＲＦＩＤリーダライタ４０に送信される。
【００４６】
ＲＦＩＤリーダライタ４０の通信インタフェース４８が、この送信された情報をアンテナ５２を介して受信する、つまりＲＦＩＤリーダライタ４０が機械室ＩＣタグ１２に記憶された情報を読み取ると（ステップＳ７）、制御部４１は、この受信した情報で示される設置建物名、エレベータ号機名、設置箇所と、記憶装置４２の点検結果情報記憶部４３に記憶された点検結果情報テーブルで示される設置建物名、エレベータ号機名、点検箇所とがそれぞれ一致していれば、ＲＦＩＤリーダライタ４０を近接させたＩＣタグの設置箇所に関わる各点検項目の点検作業が正しく行なわれたと判断する。
【００４７】
すると、通信制御部５０は、点検結果情報記憶部４３に記憶された点検結果情報テーブルで示される点検結果を含む各種情報を通信インタフェース４８およびアンテナ５２を介して携帯通信端末装置２０に送信する（ステップＳ８）。
【００４８】
さらに、書込処理部４６は、ＲＦＩＤリーダライタ４０の動作モードを書き込みモードに切り替えた上で、点検結果情報記憶部４３に記憶された点検結果情報テーブルで示される各種情報を通信インタフェース４８およびアンテナ５２を介して点検箇所のＩＣタグに送信し、このＩＣタグの内部メモリに記憶させる。
【００４９】
この記憶された情報は、入力装置４４への予め定められた操作によりＲＦＩＤリーダライタ４０の動作モードを読み取りモードに切り替えた上で、ＲＦＩＤリーダライタ４０を記憶先のＩＣタグに近接させることで読み取って表示装置４５に表示させることができる。これにより他の保守員は現場での過去の点検結果を容易に確認することができる。
【００５０】
携帯通信端末装置２０の通信インタフェース２７が、ステップＳ８の処理によりＲＦＩＤリーダライタ４０から送信された情報をアンテナ３１を介して受信すると、点検情報書込部２９は、受信済みの検索結果と関わる点検項目を記憶装置２２の点検情報記憶部２３に記憶される点検情報テーブルから抽出し、この点検項目とテーブル上で関連付けられる点検結果に対して受信済みの点検結果を反映させる（ステップＳ９）。つまり点検情報書込部２９は点検結果の保存手段として機能する。
【００５１】
図８は、本発明の実施形態にしたがったエレベータ保守管理システムの携帯通信端末装置の記憶装置に記憶される点検情報テーブルの点検結果反映後の構成例を表形式で示す図である。  
ステップＳ９の処理を行なうことで、図８に示すように点検情報テーブル上に機械室の各点検項目の点検結果が反映される。
【００５２】
そして、制御部２１は、記憶装置２２の点検情報記憶部２３に記憶される点検情報テーブル上の点検結果に空欄がある場合、つまりエレベータの各点検箇所の点検作業が終了しておらず次の点検箇所がある場合には（ステップＳ１０のＹＥＳ）、当該点検情報テーブルにおける、作業開始ＩＣタグ１１の読み取りにより選択した号機名に関わる点検箇所のうち点検結果が空欄であってテーブル上の最上段に最も近い点検箇所、当該点検箇所に関わる各点検項目、エレベータ号機名および設置建物名をあわせた情報を通信インタフェース２７およびアンテナ３１を介してＲＦＩＤリーダライタ４０に送信する（ステップＳ１０→Ｓ３）。以後、前述したステップＳ４以降の処理がなされる。
【００５３】
この処理が繰り返されることにより、点検情報テーブル上の各点検箇所の各点検項目の情報が順次読み出されてＲＦＩＤリーダライタ４０に表示される。例えば図３に示したように、最初の点検箇所である機械室６に関わる各点検項目の点検結果の携帯通信端末装置２０への記録が全て終了すると、点検情報テーブル上の次の点検箇所である１階乗場の各点検項目の情報が順次読み出され、単一のエレベータ号機の各点検箇所の情報が読み出されることになる。
【００５４】
そして、携帯通信端末装置２０の制御部２１は、記憶装置２２の点検情報記憶部２３に記憶される点検情報テーブル上の単一のエレベータ号機の各点検箇所の各点検項目の点検結果が全て満たされた場合、つまり保守員による単一のエレベータ号機の各点検箇所の各点検項目の点検作業が全て終了した場合には（ステップＳ１０のＮＯ）、ＲＦＩＤリーダライタ４０を当該エレベータ号機の作業終了ＩＣタグ１７へ近接させるよう要求する信号を通信インタフェース２７およびアンテナ３１を介してＲＦＩＤリーダライタ４０に送信する。
【００５５】
ＲＦＩＤリーダライタ４０の通信インタフェース４８が、この送信された情報をアンテナ５２を介して受信すると、表示制御部４９は、ＲＦＩＤリーダライタ４０を作業終了ＩＣタグ１７へ近接させるよう要求するメッセージ、例えば「ＲＦＩＤリーダライタを作業終了ＩＣタグへ近づけてください」といったメッセージを表示装置４５へ表示させる。
【００５６】
このメッセージにしたがって、保守員がＲＦＩＤリーダライタ４０を作業終了ＩＣタグ１７へ近接させると、作業終了ＩＣタグ１７の内部メモリに記憶された設置建物名およびエレベータ号機名、および作業終了を示す情報が内部アンテナを介してＲＦＩＤリーダライタ４０に送信される。
【００５７】
ＲＦＩＤリーダライタ４０の通信インタフェース４８が、この送信された情報をアンテナ５２を介して受信する、つまりＲＦＩＤリーダライタ４０が作業終了ＩＣタグ１７に記憶された情報を読み取ると（ステップＳ１１）、通信制御部５０は、この受信した情報を通信インタフェース４８およびアンテナ５２を介して携帯通信端末装置２０へ送信する。
【００５８】
携帯通信端末装置２０の通信インタフェース２７がＲＦＩＤリーダライタ４０からの情報をアンテナ３１を介して受信すると、制御部２１は受信済みの情報で示される設置建物名、エレベータ号機名と、点検情報記憶部２３に記憶される点検情報テーブルで示される設置建物名、エレベータ号機名とがそれぞれ一致しており、かつ、当該点検情報テーブル上の点検結果のうち、受信済みの情報で示されるエレベータ号機名に関わる各点検箇所の点検結果が全て記録されている場合には、当該エレベータ号機における各点検項目の点検作業が終了したと判断する。
【００５９】
以後、携帯通信端末装置２０の制御部２１が点検情報テーブル上の各エレベータ号機のうち、点検結果が空欄であるエレベータ号機があると判断した場合には（ステップＳ１２のＹＥＳ）、表示制御部４９は、ＲＦＩＤリーダライタ４０を他のエレベータ号機の作業開始ＩＣタグ１１へ近接させるよう要求するメッセージを表示装置４５へ再度表示させる。
【００６０】
他の号機へ移動した保守員がこのメッセージにしたがってＲＦＩＤリーダライタ４０を当該号機の玄関階に設置される作業開始ＩＣタグ１１へ近接させると、この号機に関わるステップＳ１以降の処理に移行する。
【００６１】
一方、携帯通信端末装置２０の制御部２１が点検情報テーブル上の全ての点検結果が記録されたと判断した場合には（ステップＳ１２のＮＯ）、処理が終了する。
【００６２】
以上のように、本発明の実施形態にしたがったエレベータ保守管理システムでは、保守員による点検箇所や点検項目の情報を携帯通信端末装置２０に記憶しておき、ＲＦＩＤリーダライタ４０を点検箇所の作業開始ＩＣタグ１１に近接させることで、当該作業開始ＩＣタグ１１の設置箇所である点検箇所や点検項目の情報をＲＦＩＤリーダライタ４０に送信して表示させるので、保守員は、ＲＦＩＤリーダライタ４０の各種ＩＣタグへの近接を行うだけで点検箇所や点検項目を容易に把握できる。加えて、これらの点検箇所や点検項目が表示された画面にしたがって点検結果の入力を行えば、この入力した内容が携帯通信端末装置２０に保存されるので、当該記録された点検結果が関わる点検箇所と保守員が実際に点検を行った箇所とが異なってしまうことはない。よって、点検結果の正確な記録を行うことができる。
【００６３】
また、ＲＦＩＤリーダライタ４０は、例えば保守員の腕に装着できるので、保守員の点検作業を妨げることはない。
【００６４】
また、携帯通信端末装置２０に記憶された点検情報テーブルの内容は、作業報告書や、整備計画書のためのデータとして用いることができる。
【００６５】
また、以上説明した実施形態では、携帯通信端末装置２０の点検情報テーブル上の各点検箇所の情報に、当該点検箇所が過去に故障が発生したことを示す故障有無情報を関連付けておき、ＲＦＩＤリーダライタ４０側で前述した点検箇所および点検項目に加えて故障有無情報を携帯通信端末装置２０から取得して表示装置４５に表示させてもよい。
【００６６】
また、点検箇所や点検項目の情報を保守員に知らせるために文字情報を表示装置４５に表示させる方法を用いたが、これに限らず、ＲＦＩＤリーダライタ４０にスピーカを設け、このスピーカから点検箇所や点検項目の情報を出力させてもよい。
【００６７】
また、以上説明した実施形態では、携帯通信端末装置２０が点検箇所を管理するための点検情報テーブルを記憶し、携帯通信端末装置２０は、ＲＦＩＤリーダライタ４０からの要求にしたがって点検箇所の情報を携帯通信端末装置２０に送信する構成としたが、これに限らず、携帯通信端末装置２０とＲＦＩＤリーダライタ４０との一体型の装置を設ける構成としてもよい。
【００６８】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６９】
【図１】本発明の実施形態にしたがったエレベータの構成の概略を示す図。
【図２】本発明の実施形態にしたがったエレベータ保守管理システムの携帯通信端末装置の構成例を示すブロック図。
【図３】本発明の実施形態にしたがったエレベータの保守員が携帯する携帯通信端末装置の記憶装置に記憶される点検情報テーブルの構成例を表形式で示す図。
【図４】本発明の実施形態にしたがったエレベータ保守管理システムのＲＦＩＤリーダライタの構成例を示すブロック図。
【図５】本発明の実施形態にしたがったエレベータ保守管理システムによる点検結果記録処理の一例を示すフローチャート。
【図６】本発明の実施形態にしたがったエレベータ保守管理システムのＲＦＩＤリーダライタの記憶装置に記憶される点検結果情報テーブルの構成例を表形式で示す図。
【図７】本発明の実施形態にしたがったエレベータ保守管理システムのＲＦＩＤリーダライタの表示装置に表示される点検結果入力画面の一例を示す図。
【図８】本発明の実施形態にしたがったエレベータ保守管理システムの携帯通信端末装置の記憶装置に記憶される点検情報テーブルの点検結果反映後の構成例を表形式で示す図。
【符号の説明】
【００７０】
１…昇降路、２…乗りかご、３…シーブ、４…そらせシーブ、５…つり合いおもり、６…機械室、７…エレベータ制御盤、８…乗場ドア、９…ピット、１１…作業開始ＩＣタグ、１２…機械室ＩＣタグ、１３…乗場ＩＣタグ、１４…かご内ＩＣタグ、１５…かご上ＩＣタグ、１６…ピットＩＣタグ、１７…作業終了ＩＣタグ、２０…携帯通信端末装置、２１，４１…制御部、２２，４２…記憶装置、２３…点検情報記憶部、２５，４４…入力装置、２６，４５…表示装置、２７，４９…通信インタフェース、２８…点検情報読出部、２９…点検情報書込部、３０，５１…バス、３１，５２…アンテナ、４０…ＲＦＩＤリーダライタ、４３…点検結果情報記憶部、４６…書込処理部、４７…読取処理部、４８…表示制御部、４９…表示制御部、５０…通信制御部。
【図１】
2009161310.tif 000003
【図２】
2009161310.tif 000004
【図３】
2009161310.tif 000005
【図４】
2009161310.tif 000006
【図５】
2009161310.tif 000007
【図６】
2009161310.tif 000008
【図７】
2009161310.tif 000009
【図８】
2009161310.tif 000010